(57)【要約】      （修正有）【課題】シリンダヘッドにヘッドカバーを結合するボルトを利用することにより、部品点数の削減を図る。【解決手段】内燃機関は、シリンダヘッド３ａにボルト37，41により結合されてシリンダヘッド３ａと共同して動弁室20を形成するヘッドカバー３ａと、動弁室20内に配置されて吸気弁および排気弁を開閉する動弁装置とを備える。動弁装置は、動弁室20内でシリンダヘッド３ａに設けられるカムホルダ29ｂに保持されてロッカアームを揺動可能に支持するロッカアーム軸28を備える。ボルト37は、ロッカアーム軸28が軸方向に移動するのを規制する。【選択図】図６
2006226272.tif 000002
【特許請求の範囲】
【請求項１】
機関弁が設けられるシリンダヘッドと、前記シリンダヘッドにボルトにより結合されて前記シリンダヘッドと共同して動弁室を形成するヘッドカバーと、前記動弁室内に配置されて前記機関弁を開閉する動弁装置とを備える内燃機関において、
前記動弁装置は、前記動弁室内で前記シリンダヘッドに設けられるホルダに保持されるロッカアーム軸と前記ロッカアーム軸に揺動可能に支持されて前記機関弁を開閉するロッカアームとを備え、前記ボルトは、前記ロッカアーム軸が軸方向に移動するのを規制することを特徴とする内燃機関。
【請求項２】
前記ボルトは、頭部と、前記軸方向で前記ロッカアーム軸と当接する軸部とから構成され、前記頭部は、前記動弁室の外部で前記ヘッドカバーを押圧すると共に前記動弁室内で前記ホルダに当接する前記当接面を有し、前記軸部は前記当接面からシリンダ軸線方向に延びていることを特徴とする請求項１記載の内燃機関。
【請求項３】
前記ロッカアーム軸には前記ボルトが挿入される挿入部が設けられ、前記ロッカアーム軸は固定手段により前記ホルダに位置決めされることを特徴とする請求項１記載の内燃機関。
【請求項４】
機関弁が設けられるシリンダヘッドと、前記シリンダヘッドにボルトにより結合されて前記シリンダヘッドと共同して動弁室を形成するヘッドカバーと、前記動弁室内に配置されて前記機関弁を開閉する動弁装置とを備える内燃機関において、
前記ボルトは、前記動弁室内の部材の潤滑箇所に潤滑油を導く油路の端部を閉塞することを特徴とする内燃機関。
【請求項５】
前記ボルトの軸部が前記端部に交差することを特徴とする請求項４記載の内燃機関。
【発明の詳細な説明】
【技術分野】
【０００１】
本発明は、機関弁が設けられるシリンダヘッドにボルトにより結合されてシリンダヘッドと共同して動弁室を形成するヘッドカバーと、動弁室内に配置されて機関弁を開閉する動弁装置とを備える内燃機関に関する。
【背景技術】
【０００２】
内燃機関のシリンダヘッドにはヘッドカバーがボルトにより結合される。例えば、特許文献１に開示されたエンジンでは、ロッカアームおよび該ロッカアームを揺動可能に支持するロッカアームシャフトを収納するロッカケースがシリンダヘッドに一体に取り付けられ、該ロッカケースにヘッドカバーがボルトにより結合される。ボルトはヘッドカバーの周縁部以外の箇所に配置される。
【特許文献１】特許第２６６８６６６号公報
【発明の開示】
【発明が解決しようとする課題】
【０００３】
ところで、前記従来技術において、ヘッドカバーをシリンダヘッドに結合するボルトは、単にヘッドカバーを結合する機能のみを有し、該ボルトと、シリンダヘッドおよびヘッドカバーの共同により形成される動弁室内の部材とは、ヘッドカバーの締結以外の関連性はない。このため、動弁室内の部材との関連で、ヘッドカバーを結合するためのボルトを利用することにより、動弁室内の部材の部品点数の削減を図ったり、シリンダ軸線方向でのヘッドカバーの高さを抑制することは考慮されていない。
【０００４】
本発明は、このような事情に鑑みてなされたものであり、請求項１〜５記載の発明は、シリンダヘッドにヘッドカバーを結合するボルトを利用することにより、部品点数の削減を図ることを目的とする。そして、請求項２記載の発明は、さらに、ヘッドカバーをシリンダ軸線方向で小型化することを目的とし、請求項３記載の発明は、さらに、シリンダヘッドの小型化することを目的とし、請求項５記載の発明は、さらに、油路およびボルトのレイアウトの自由度を大きくすることを目的とする。
【課題を解決するための手段】
【０００５】
請求項１記載の発明は、機関弁が設けられるシリンダヘッドと、前記シリンダヘッドにボルトにより結合されて前記シリンダヘッドと共同して動弁室を形成するヘッドカバーと、前記動弁室内に配置されて前記機関弁を開閉する動弁装置とを備える内燃機関において、前記動弁装置は、前記動弁室内で前記シリンダヘッドに設けられるホルダに保持されるロッカアーム軸と前記ロッカアーム軸に揺動可能に支持されて前記機関弁を開閉するロッカアームとを備え、前記ボルトは、前記ロッカアーム軸が軸方向に移動するのを規制する内燃機関である。
【０００６】
これによれば、ヘッドカバーをシリンダヘッドに結合するボルトが、動弁室内に配置されるロッカアーム軸の軸方向での移動を規制する規制部材として利用される。
【０００７】
請求項２記載の発明は、請求項１記載の内燃機関において、前記ボルトは、頭部と、前記軸方向で前記ロッカアーム軸と当接する軸部とから構成され、前記頭部は、前記動弁室の外部で前記ヘッドカバーを押圧すると共に前記動弁室内で前記ホルダに当接する前記当接面を有し、前記軸部は前記当接面からシリンダ軸線方向に延びているものである。
【０００８】
これによれば、ヘッドカバーとボルトとの間にシリンダ軸線方向での空間が形成されることがないので、ヘッドカバーをシリンダ軸線方向でホルダに近接させることができる。
【０００９】
請求項３記載の発明は、請求項１記載の内燃機関において、前記ロッカアーム軸には前記ボルトが挿入される挿入部が形成され、前記ロッカアーム軸は固定手段により前記ホルダに位置決めされるものである。
【００１０】
これにより、ヘッドカバーがシリンダヘッドに結合されるとき、該ボルトは既に固定手段によりホルダに対して位置決めされているロッカアーム軸に設けられた挿入部に挿入されて、ヘッドカバーがボルトによりシリンダヘッドに結合される。
【００１１】
請求項４記載の発明は、関弁が設けられるシリンダヘッドと、前記シリンダヘッドにボルトにより結合されて前記シリンダヘッドと共同して動弁室を形成するヘッドカバーと、前記動弁室内に配置されて前記機関弁を開閉する動弁装置とを備える内燃機関において、前記ボルトは、前記動弁室内の部材の潤滑箇所に潤滑油を導く油路の端部を閉塞する内燃機関である。
【００１２】
これによれば、ヘッドカバーをシリンダヘッドに結合するボルトが、油路の端部を閉塞する栓として利用される。
【００１３】
請求項５記載の発明は、請求項４記載の内燃機関において、前記ボルトの軸部が前記端部に交差するものである。
【００１４】
これによれば、油路の端部が延びる方向とボルトのねじ込み方向とを同軸または平行にする必要がなく、油路の端部が延びる方向とボルトのねじ込み方向とが互いの方向を制約することが可及的に少なくなる。
【発明の効果】
【００１５】
請求項１記載の発明によれば、次の効果が奏される。すなわち、ヘッドカバーをシリンダヘッドに結合するボルトがロッカアーム軸の軸方向での移動を規制する規制部材を兼ねるので、ロッカアーム軸の軸方向での移動を規制するための専用の部材が不要となり、部品点数が削減される。
【００１６】
請求項２記載の発明によれば、引用された請求項記載の発明の効果に加えて、次の効果が奏される。すなわち、ヘッドカバーをシリンダ軸線方向でホルダに近接させることができるので、ヘッドカバーをシリンダ軸線方向で小型化することができ、ひいては内燃機関をシリンダ軸線方向で小型化することができる。
【００１７】
ロッカアーム軸が配置されるスペースを利用してボルトが挿入されることから、ボルトが挿入される部分をシリンダヘッドに別個に確保する必要がないので、シリンダヘッドが小型化される。
【００１８】
請求項４記載の発明によれば、次の効果が奏される。すなわち、ヘッドカバーをシリンダヘッドに結合するボルトが油路の栓を兼ねるので、油路を閉塞するための専用の栓が不要となり、部品点数が削減される。
【００１９】
請求項５記載の発明によれば、引用された請求項記載の発明の効果に加えて、次の効果が奏される。すなわち、油路の端部が延びる方向とボルトのねじ込み方向とが互いの方向を制約することが少なくなるので、端部を有する油路およびボルトのレイアウトの自由度が大きくなる。
【発明を実施するための最良の形態】
【００２０】
以下、本発明の実施形態を図１〜図１３を参照して説明する。
図１，図２を参照すると、本発明が適用された内燃機関Ｅは、動力伝達装置と共に車両としてのスクータ型の自動二輪車に搭載される。前記動力伝達装置は、変速装置としてのベルト式無段変速装置Ｍ、発進クラッチとしての遠心クラッチＣ、１次減速機構としての歯車式伝動機構Ｒ１および２次減速機構としてのチェーン式伝動機構Ｒ２から構成され、この順で内燃機関Ｅが発生した動力を駆動輪としての後輪に伝達する。内燃機関Ｅ、変速装置Ｍ、遠心クラッチＣおよび歯車式伝動機構Ｒ１を備えるパワーユニットは、左右１対のエンジンハンガ59（図７も参照）等を介して車体フレームに固定される。
【００２１】
クランク軸７の回転中心線Ｌ０が左右方向を指向する横置き配置で自動二輪車に搭載される内燃機関Ｅは、ＯＨＣ型で水冷式のＶ型２気筒４ストローク内燃機関であり、ほぼ９０°のバンク角θ１（図３参照）を形成するようにＶ字状に配列される１対のシリンダ１ａ，１ｂと、各シリンダ１ａ，１ｂにシリンダ軸線Ｌ1a，L1bの方向Ａ１，Ａ２での基端部で結合されるクランクケース２と、各シリンダ１ａ，１ｂにシリンダ軸線方向Ａ１，Ａ２での先端部で結合されて該シリンダ１ａ，１ｂと一体化された１対のシリンダヘッド３ａ，３ｂと、各シリンダヘッド３ａ，３ｂに結合される１対のヘッドカバー４ａ，４ｂとから構成される機関本体を備える。
【００２２】
なお、この実施形態において、上下、前後および左右は、それぞれ、自動二輪車を基準にしたときの上下、前後および左右を意味するものとする。そして、側面視とは、クランク軸７の回転中心線Ｌ０の方向（以下、単に「回転中心線方向」という。）から見ることを意味する。
【００２３】
図３を併せて参照すると、Ｖバンクを構成する第１バンクとしての前バンクＢ１および第２バンクとしての後バンクＢ２は、それぞれ、第１シリンダとしてのシリンダ１ａおよび第２シリンダとしてのシリンダ１ｂを主体として構成される。より具体的には、前バンクＢ１は、前方斜め上方に僅かに傾斜したシリンダ軸線Ｌ1aを有して大きく前傾したシリンダ１ａと、シリンダヘッド３ａと、ヘッドカバー４ａとを備え、後バンクＢ２は、後方斜め上方に僅かに傾斜したシリンダ軸線Ｌ1bを有して僅かに後傾したシリンダ１ｂと、シリンダヘッド３ｂと、ヘッドカバー４ｂとを備える。
【００２４】
各シリンダ１ａ，１ｂに往復運動可能に嵌合するピストン５にコンロッド６を介して連結されるクランク軸７は、そのジャーナル７ｃ，７ｄにおいてクランクケース２に１対の主軸受としての滑り軸受８，９を介して回転可能に支持される。クランク軸７を収容するクランク室10を形成する左右割りのクランクケース２は、回転中心線Ｌ０に直交する平面で二分される第１，第２クランクケース２ａ，２ｂから構成される。第１，第２クランクケース２ａ，２ｂの軸受部２a1，２b1とジャーナル７ｃ，７ｄとの間に配置される滑り軸受８，９は、油溝が形成されない軸受であり、軸受部２a1，２b1に形成された油路Ｋ6a，Ｋ6bから潤滑油が供給される。
【００２５】
図２，図３を参照すると、６本のヘッドボルト11，12（図４も参照）によりクランクケース２にシリンダ１ａ，１ｂと共締めされる各シリンダヘッド３ａ，３ｂには、シリンダ軸線方向Ａ１，Ａ２でピストン５と対向する燃焼室13と、燃焼室13に開口する１対の吸気口を有する吸気ポート14および燃焼室13に開口する１対の排気口を有する排気ポート15が形成され、点火栓16（図１参照）が装着される。さらに、各シリンダヘッド３ａ，３ｂには、前記１対の吸気口および前記１対の排気口をそれぞれ開閉するいずれもタペット弁からなる機関弁としての１対の吸気弁17および１対の排気弁18が設けられる。各吸気弁17および各排気弁18は、クランク軸７の動力により回転駆動されるカム軸22を備える動弁装置21により、それぞれ所定のタイミングで開閉される。また、図５に示されるように、吸気ポート14は、前記各吸気口を有する１対の分岐ポート14ａ，14ｂに分岐し、排気ポート15は、前記各排気口を有する１対の分岐ポート15ａ，15ｂに分岐する。そして、点火栓16は、分岐ポート14ｂおよび分岐ポート15ｂの間に傾斜して配置され（図６（Ａ）参照）、燃焼室13の中央部に臨んでいる。
【００２６】
図４を併せて参照すると、各バンクＢ１，Ｂ２において、シリンダヘッド３ａ，３ｂとヘッドカバー４ａ，４ｂとの共同により形成される動弁室20に収容される動弁装置21は、シリンダヘッド３ａ，３ｂに回転可能に支持されるカム軸22と、カム軸22に設けられる吸気カム23および排気カム24によりそれぞれ駆動されて揺動する吸気ロッカアーム25および排気ロッカアーム26と、吸気ロッカアーム25および排気ロッカアーム26をそれぞれ揺動可能に支持する吸気ロッカアーム軸27および排気ロッカアーム軸28とを備える。各バンクＢ１，Ｂ２の動弁装置21は同様の構造を有するので、以下では、前バンクＢ１の動弁装置21を中心に説明し、動弁装置21などで後バンクＢ２に関連する部材ついては、必要に応じて括弧内に符号を記す。
【００２７】
図６を併せて参照すると、回転中心線Ｌ０と平行な回転中心線を有するカム軸22は、動弁室20内の部材であってシリンダヘッド３ａ（３ｂ）に一体成形により設けられるカムホルダ29に軸受を介して支持される。カムホルダ29は、シリンダヘッド３ａ（３ｂ）の冷却水ジャケットＷ３（Ｗ６）を形成するアッパデッキ３a1（３b1）からヘッドカバー４ａ（４ｂ）に向かって突出する複数の、この実施形態では１対のカムホルダ部分29ａ，29ｂから構成される。カム軸22の左端部22ａは、一方のカムホルダ部分29ａに玉軸受からなる軸受30を介して支持され、カム軸22の右端部22ｂは、カムホルダ部分29ｂにニードル軸受からなる軸受31を介して支持される。
【００２８】
図７を併せて参照すると、カム軸22は、動弁用伝動機構Ｔ１（Ｔ２）を介して伝達されるクランク軸７の動力により回転駆動される。この動弁用伝動機構Ｔ１（Ｔ２）は、クランク軸７に設けられた駆動回転体としての駆動スプロケット32ａ（32ｂ）と、カム軸22の左端部22ａに設けられた被動回転体としてのカムスプロケット33ａ（33ｂ）と、駆動スプロケット32ａ（32ｂ）およびカムスプロケット33ａ（33ｂ）に巻き掛けられた無端伝動帯としてのチェーン34ａ（34ｂ）とから構成される。
【００２９】
カム軸22と平行に配置される各ロッカアーム軸27，28は、バルブクリアランスの調整や動弁装置21などのメンテナンスなどで、ヘッドカバー４ａ（４ｂ）および両ロッカアーム軸27，28をシリンダヘッド３ａ（３ｂ）から外す必要がある場合に、該調整やメンテナンスの作業効率を向上させる構造のシリンダヘッド３ａ（３ｂ）に設けられる。
具体的には、図３，図６〜図９を参照すると、各ロッカアーム軸27，28は、シリンダヘッド３ａ（３ｂ）に設けられるホルダである両カムホルダ部分29ａ，29ｂに、カム軸22の軸方向Ａ３での移動が規制された状態で保持されて、シリンダ軸線方向Ａ１（Ａ２）で、カム軸22およびシリンダヘッド３ａ（３ｂ）のヘッドカバー４ａ（４ｂ）との合わせ面３a3（３b3）よりもヘッドカバー４ａ（４ｂ）寄りに配置される。
【００３０】
また、両ロッカアーム軸27，28は、シリンダ軸線方向Ａ１（Ａ２）から見てカム軸22の回転中心線Ｌ６と直交する方向Ａ４において、点火栓16および点火栓16に装着される点火コイル一体型のプラグキャップ19を挟むように、プラグキャップ19の両側に分かれて配置され、したがって軸方向Ａ３から見て点火栓16およびプラグキャップ19と重ならない位置に配置される。ここで、点火栓16およびプラグキャップ19は、軸方向Ａ３から見て、カム軸22および回転中心線Ｌ６と重なる位置に配置され、しかもプラグキャップ19は、軸方向Ａ３で両カムホルダ部分29ａ，29ｂを挟んでカムスプロケット33ａ（33ｂ）とは反対側に配置される。
【００３１】
さらに、各ロッカアーム軸27，28は、それぞれカムホルダ部分29ａ，29ｂに設けられた貫通孔からなる保持孔29a1，29b1；29a2，29b2（図１０も参照）にカムスプロケット33ａ（33ｂ）側およびカムスプロケット33ａ（33ｂ）側とは反対側から軸方向Ａ３に抜き差し可能に挿入可能である。そして、各ロッカアーム軸27，28は、保持孔29a1，29b1；29a2，29b2に挿入された後、各ロッカアーム軸27，28に当接する規制部材としての複数の、ここでは１対のボルト34，35；36，37により、ロッカアーム軸27，28の軸方向Ａ３での移動が規制されると共に回動が規制される。そのために、各ロッカアーム軸27，28には、保持孔29a1，29b1；29a2，29b2に挿入されてカムホルダ29に保持される被保持部である左右の両端部27ａ，27ｂ；28ａ，28ｂに、各ロッカアーム軸27，28が軸方向Ａ３へ移動して各カムホルダ部分29ａ，29ｂから抜けることを防止する抜止め用の固定手段としてのボルト34，35；36，37が挿入される挿入部27ｃ，27ｄ；28ｃ，28ｄが形成される。該挿入部27ｃ，27ｄ；28ｃ，28ｄは、この実施形態では、ロッカアーム軸27，28の軸方向Ａ３に直交する方向に延びると共にロッカアーム軸27，28の中心軸線と交差する中心軸線を有する貫通孔により構成されるが、ロッカアーム軸27，28の中心軸線と交差する貫通孔、または該中心軸線からオフセットした貫通孔または切欠きにより構成されてもよい。
【００３２】
図７，図１０を参照すると、ボルト34，36は、左端部27ａ，28ａをシリンダ軸線方向Ａ１（Ａ２）に対して傾斜した方向に貫通して第１カムホルダ部分29ａのネジ孔38にねじ込まれる。ネジ孔38は、吸気弁17のステムがシリンダヘッド３ａ（３ｂ）を貫通するために形成されて管状の弁ガイド39が圧入される貫通孔40（図３参照）と平行に形成され、カム軸22の軸方向Ａ３（図６参照）から見てシリンダ軸線Ｌ1a（Ｌ1b）に対して弁ガイド39に摺動可能に支持される吸気弁17の傾斜角と同じ角度で傾斜している。ネジ孔38が吸気弁17が挿通される貫通孔40と平行であることにより、貫通孔40の加工と同時に同じ方向からネジ孔38を加工することができるので、加工時間が短くなり加工効率が向上する。それゆえ、各ロッカアーム軸27，28の左端部27ａ，28ａの各挿入部27ｃ，28ｃも、ネジ孔38に整合するように、軸方向Ａ３から見てシリンダ軸線Ｌ1a（Ｌ1b）（図３参照）に対して前記傾斜角と同じ角度で傾斜するように設けられる。
【００３３】
そして、ボルト36がねじ込まれるネジ孔38は、シリンダ軸線方向Ａ１（Ａ２）での位置でボルト36と重なる位置にある軸受30を避けるように傾斜していることにより、軸方向Ａ３から見てシリンダ軸線方向Ａ１（Ａ２）に直交する方向Ａ４と、シリンダ軸線方向Ａ１（Ａ２）とで、ロッカーム軸28をカム軸に近接して配置することができるので、シリンダヘッド３ａ（３ｂ）を小型化できるうえ、軸受30と干渉することなくネジ38の深さを深くできるのでボルト36のネジ部の長さを増加させることができ、ロッカアーム軸28をより強固に固定することが可能になる。また、軸方向Ａ３から見て、ボルト36の軸線Ｌ５（すなわち締付方向）に直交する方向で、ロッカアーム軸28の外面からカムホルダ29ａの外面までの距離Ｄを長くできるため、大きな締付力を確保できる。
【００３４】
ボルト34，35，36，37のうちの一部のボルト34は、軸方向Ａ３から見て軸受30のアウタレース30ａと重なる位置まで延びて、軸方向Ａ３で軸受30に接する位置または軸受30にほぼ接する位置にあり、軸受30が軸方向Ａ３に移動することを規制する規制部材を兼ねるので、専用の規制部材が不要となり、この点でも部品点数が削減される。また、軸方向Ａ３から見てシリンダ軸線方向Ａ１（Ａ２）に直交する方向と、シリンダ軸線方向Ａ１（Ａ２）とで、ロッカアーム軸28をカム軸22に近接して配置することができるので、それら両方向でシリンダヘッド３ａ（３ｂ）を小型化することができる。さらに、軸方向Ａ３での軸受30の移動を規制するボルト34の機能は、ねじ込まれる方向で、ボルト34がカム軸22に近づくように傾斜していることにより、容易に果たされる。
【００３５】
図６を参照すると、ボルト35，37は、右端部27ｂ，28ｂを貫通してシリンダ軸線方向Ａ１（Ａ２）にほぼ平行にカムホルダ部分29ｂにねじ込まれる。このうち排気ロッカアーム軸28を貫通するボルト37は、ヘッドカバー４ａ（４ｂ）をシリンダヘッド３ａ（３ｂ）に結合する複数のボルト、この実施形態では１対のボルト37，41の一部である。それゆえ、ヘッドカバー４ａ（４ｂ）をシリンダヘッド３ａ（３ｂ）に結合するボルト37が、排気ロッカアーム軸28が軸方向Ａ３に移動するのを規制する規制部材を兼ねる。
【００３６】
図６（Ｂ）を参照すると、カムホルダ部分29ｂに形成されたネジ孔29b4にねじ込まれるボルト37は、頭部37ａと、軸方向Ａ３で排気ロッカアーム軸28と当接する軸部37ｂとから構成される。そして、頭部37ａは、動弁室20の外部でシール部材42を介してヘッドカバー４ａ（４ｂ）を押圧する大径部37a1と、大径部37a1よりも小径の小径部37a2とを有し、小径部37a2は、ヘッドカバー４ａ（４ｂ）の貫通孔を貫通して動弁室20内でカムホルダ部分29ｂの外面39b3にシリンダ軸線方向Ａ１（Ａ２）で当接する当接面37ｃを有する。軸部37ｂは当接面37ｃからシリンダ軸線Ｌ1a（Ｌ1b）にほぼ平行に延びている。
【００３７】
また、図６，図８，図９を参照すると、各ロッカアーム軸27，28は、ヘッドカバー４ａ（４ｂ）が外されて、ボルト34，35，36，37が外された状態で、カムスプロケット33ａ（33ｂ）側とは反対側から軸方向Ａ３に抜き差し可能であり、しかもシリンダヘッド３ａ（４ｂ）の合わせ面３a3（３b3）（図７も参照）よりもヘッドカバー４ａ（４ｂ）寄りに配置されることにより、カム軸22からカムスプロケット33ａ（33ｂ）を外すことなく、そしてシリンダヘッド３ａ（４ｂ）に遮られることなく、軸方向Ａ３から見て（側面視で）カムスプロケット33ａ（33ｂ）と重なる位置にある両ロッカアーム軸27，28を両カムホルダ部分29ａ，29ｂから容易に外すことができる。さらに、両ロッカアーム軸27，28が、軸方向Ａ３から見て、点火栓16およびプラグキャップ19を挟む位置に、したがって点火栓16およびプラグキャップ19と重ならない位置に配置されることにより、点火プラグ16およびプラグキャップ19と干渉を生じることなく、両ロッカアーム軸27，28を両カムホルダ部分29ａ，29ｂから容易に抜くことができる。
【００３８】
したがって、バルブクリアランスの調整や動弁装置21のメンテナンスなどの際に、両ロッカアーム軸27，28を両カムホルダ部分29ａ，29ｂ、したがってシリンダヘッド３ａ（３ｂ）から外す必要がある場合、カムスプロケット33ａ（33ｂ）を外さなければならない構造のシリンダヘッドに比べて、カム軸22にカムスプロケット33ａ（33ｂ）が結合されたままで、しかも点火プラグ16およびプラグキャップ19がシリンダヘッド３ａ（４ｂ）に装着されたままで、両ロッカアーム軸27，28をカムホルダ部分29ａ，29ｂから外し、さらに両ロッカアーム25，26を外した状態で、吸気弁17および排気弁18のステムの端部に載置されるシムを利用したバルブクリアランスの調整やメンテナンスなどのための作業が容易になる。このように、カムスプロケット33ａ（33ｂ）を外す作業が不要となるので、バルブクリアランスの調整やメンテナンスの作業効率が向上する。
【００３９】
また、ロッカアーム軸28には、一方の端部28ａにボルト36が挿入される挿入部28ｃが形成され（図１０も参照）、他方の端部28ｂにボルト37が挿入される挿入部28ｄが形成される。そして、ヘッドカバー４ａ（４ｂ）がカムホルダ部分29ｂにねじ込まれるボルト37によりシリンダヘッド３ａ（３ｂ）に結合される前に、ロッカアーム軸28は、挿入部28ｃに挿入されてカムホルダ部分29ａにねじ込まれるボルト36により、カムホルダ部分29ａ（29ｂ）に対して、挿入部28ｄがネジ孔29b4に整合するように軸方向Ａ３および周方向に位置決めされて、軸方向Ａ３に移動不能にかつ回動不能に固定される。
【００４０】
図２を参照すると、第１クランクケース２ａに左方で結合されるクランクケースカバー45と第１クランクケース２ａとにより、補機としての交流発電機46が収容される補機室47および該補機室47の後方に隣接してオイルタンク48が形成される。
【００４１】
図７を併せて参照すると、クランク軸７は第１クランクケース２ａを貫通し、補機室47内で第１クランクケース２ａから左方に突出するクランク軸７の軸端部７ａには、滑り軸受８寄りから順次、駆動回転体群としての駆動スプロケット群、始動電動機49に始動被動ギヤ50ａを備える始動用減速機構50を介して駆動連結される一方向クラッチ51および交流発電機46のロータ46ａが取り付けられる。一方向クラッチ51は、軸端部７ａに回転可能に支持される入力部材51ａと、ロータ46ａに一体に結合される出力部材51ｂと、入力部材51ａおよび出力部材51ｂの間に配置される複数の爪51ｃとを備える。
【００４２】
前記駆動スプロケット群は、第１滑り軸受８寄りから、後バンクＢ２の動弁用伝動機構Ｔ２を構成する駆動スプロケット32ｂ、補機としてのオイルポンプ80（図１２参照）および冷却水ポンプ130（図１２参照）を駆動するための補機駆動用伝動機構Ｔ３を構成する駆動スプロケット32ｃおよび前バンクＢ１の動弁用伝達機構Ｔ１を構成する駆動スプロケット32ａの順に配置される。このように、１対の動弁用伝動機構Ｔ１，Ｔ２の駆動スプロケット32ａ，32ｂが、クランク軸７の同じ軸端部７ａに設けられる内燃機関Ｅにおいて、１対の駆動スプロケット32ａ，32ｂの間のスペースを利用して補機駆動用の駆動スプロケット32ｃが設けられるので、スペース効率が向上して、内燃機関Ｅを回転中心線方向で小型化できる。
【００４３】
また、テンショナ52により張力が調整される各チェーン34ａ，34ｂの張り側には、チェーン34ａ，34ｂを案内するガイド53が配置される。ガイド53の、クランク軸７寄りの端部は、軸受部２a1から回転中心線方向に突出する受け部54，55に支持される。両チェーン34ａ，34ｂのうち、軸方向Ａ３で一方向クラッチ51に近いチェーン34ａのガイド53は、一方向クラッチ51の入力部材51ａに一体に結合される始動被動ギヤ50ａに近接した位置まで延びている。そして、入力部材51ａおよび始動被動ギヤ50ａが、回転中心線方向で左方に移動することはロータ46ａにより、右方に移動することは受け部55により、それぞれ規制される。このように、受け部55は、一方向クラッチ51および始動被動ギヤ50ａが回転中心線方向に移動するのを規制するストッパとして機能するので、それらの移動を規制する専用のストッパを別途設ける必要がなく、部品点数が削減される。
【００４４】
図２を参照すると、第２クランクケース２ｂの右方には、第２クランクケース２ｂとは別体の伝動ケース56が結合される。変速装置Ｍが収容される伝動室57を形成する伝動ケース56は、第２クランクケース２ｂにボルトにより結合される第１伝動ケース56ａと、第１伝動ケース56ａの右方に結合される第２伝動ケース56ｂとから構成される。クランク軸７は第２クランクケース２ｂおよび第１伝動ケース56ａを貫通し、伝動室57内で第１伝動ケース56ａから右方に突出する軸端部７ｂには、ベルト164を備える変速装置Ｍが駆動連結される。そして、伝動室57には、変速装置Ｍのほかに遠心クラッチＣが収容される。また、第１クランクケース２ａの、オイルタンク48を形成する後部２a2と第１伝動ケース56ａの後部56a2により形成されるギヤ室58には、歯車式伝動機構Ｒ１が収容される。
【００４５】
このように、伝動室57を形成する第１伝動ケース56ａが、該第１伝動ケース56ａの近傍に隣接して配置される第２クランクケース２ｂとは別個の部材であることにより、クランクケース２の熱が第１伝動ケース56ａに伝達されることが抑制されることから、伝動室57に収容されるベルト164の温度上昇が抑制されるので、ベルト164の耐久性が向上する。
【００４６】
また、図１，図７を参照すると、第１クランクケース２ａおよび第１伝動ケース56ａには、側面視でバンク空間Ｓと重なる位置において、左右の１対のエンジンハンガ59が設けられる。エンジンハンガ59において、車体フレームに設けられる支持軸が挿入される貫通孔59ｂが形成された被支持部59ａは、側面視でバンク空間Ｓと重なる位置において、前バンクＢ１のシリンダ１ａよりも上方で、後バンクＢ２のシリンダ１ｂとリンダヘッド３ｂとの合わせ面１b1よりも下方に、上下方向での位置でシリンダ１ｂと重なる位置に設けられる。このような剛性の高い位置にエンジンハンガ59の被支持部59ａが設けられることにより、内燃機関Ｅを支持する車体フレームへの振動特性が良好となり、自動二輪車の乗り心地が向上する。
【００４７】
図１，図３を参照すると、バンク空間Ｓに配置される吸気装置60は、エアクリーナ（図示されず）と、吸気の下流側で該エアクリーナに結合されると共にスロットル弁62ａ，62ｂが装着された１対のスロットルボディ61ａ，61ｂと、吸気の上流側で各スロットルボディ61ａ，61ｂに結合されると共に下流側で各シリンダヘッド３ａ，３ｂにバンク空間Ｓ側において結合される接続管である１対のインシュレータ64ａ，64ｂとを備える。
【００４８】
スロットルボディ61ａ，61ｂには吸気道63ａ，63ｂが形成され、スロットル弁62ａ，62ｂは、吸気道63ａ，63ｂに配置されて吸気道63ａ，63ｂを通る吸気の流量（吸気量）を制御する。そして、前記エアクリーナを経て吸入された空気は、吸気道63ａ，63ｂおよびインシュレータ64ａ，64ｂにより形成される通路65ａ，65ｂから構成される吸気通路を流通し、さらに吸気ポート14を経て燃焼室13に流入する。また、両スロットルボディ61ａ，61ｂは、連結部材67により互いに連結されて一体化される。
【００４９】
さらに、各スロットルボディ61ａ，61ｂには、吸入された空気に燃料を供給する混合気形成手段としての燃料噴射弁68が取り付けられる。燃料噴射弁68から吸気ポート14を指向して噴射された燃料は、吸入空気と混合して混合気を形成して燃焼室13に流入し、燃焼室13内で点火栓16により点火されて燃焼し、発生する燃焼圧力により往復運動するピストン５が、コンロッド６を介してクランク軸７を回転駆動する。
【００５０】
図１１を参照すると、ゴム状弾性を有する材料、例えば合成ゴムからなるインシュレータ64ａ，64ｂは、スロットルボディ61ａ，61ｂの下流端部により構成される嵌合部61a1，61b1が嵌合する嵌合孔66ａ，66ｂを形成する上流端部64a1，64b1を有する。
【００５１】
嵌合部61a1，61b1における吸気道63ａ，63ｂの中心軸線Ｌ2a，Ｌ2bおよび嵌合孔66ａ，66ｂの中心軸線Ｌ3a，Ｌ3bは、バンク角θ１を二分する特定平面Ｐ０、この実施形態ではバンク角θ１を二等分する特定平面Ｐ０に対して傾斜している。なお、この実施形態では、両中心軸線Ｌ2a，Ｌ3a；Ｌ2b，Ｌ3bはほぼ一致する。また、嵌合部61a1，61b1の下流端開口縁部61a2，61b2により吸気道63ａ，63ｂの下流端開口63a1，63b1が形成され、インシュレータ64ａ，64ｂの上流端開口縁部64a2，64b2により嵌合孔66ａ，66ｂの上流端開口66a1，66b1が形成される。
【００５２】
そして、下流端開口63a1，63b1は、特定平面Ｐ０に直交すると共に下流端開口63a1，63b1に接する第１平面Ｐ1a，Ｐ1bに対して吸気道63ａ，63ｂ側にあり、上流端開口66a1，66b1は、特定平面Ｐ０に直交すると共に上流端開口66a1，66b1に接する第２平面Ｐ2a，Ｐ2bに対して嵌合孔66ａ，66ｂ側にある。インシュレータ64ａ，64ｂには、上流端部64a1，64b1の一部のみに、特定平面Ｐ０に平行であって下流端開口縁部61a2，61b2に接する第３平面Ｐ3a，Ｐ3bと交差する案内面69a1，69b1を有する案内部69ａ，69ｂが設けられる。
【００５３】
この実施形態では、インシュレータ64ａ，64ｂに対して、少なくとも嵌合部61a1，61b1または中心軸線Ｌ2a，Ｌ2bが、さらには吸気道63ａ，63ｂの全体およびスロットルボディ61ａ，61ｂの全体が、上流に向かって特定平面Ｐ０に近づくように傾斜している。換言すれば、各中心軸線Ｌ2a，Ｌ3a；Ｌ2b，Ｌ3bは、側面視で、シリンダ軸線Ｌ1a，Ｌ1bから中心軸線Ｌ2a，Ｌ3a；Ｌ2b，Ｌ3bまでの鋭角θ2a，θ3a；θ2b，θ3bが、シリンダ軸線Ｌ1a，L1bから特定平面Ｐ０までの鋭角θ4a，θ4bよりも大きくなるように傾斜している。そして、燃料噴射弁68は、動弁室20との間で前記吸気通路を挟むように配置される。スロットルボディ61ａ，61ｂが特定平面Ｐ０に平行な方向からインシュレータ64ａ，64ｂに組み付けられるとき、嵌合部61a1，61b1が案内面69a1，69b1に接触しつつ嵌合孔66ａ，66ｂに案内される。案内部69ａ，69ｂにより、連結部材67（図１参照）で予め互いに連結されて一体化された両スロットルボディ61ａ，61ｂがそれぞれの嵌合部61a1，61b1を、同時に各嵌合孔66ａ，66ｂに案内する。
【００５４】
各案内部69ａ，69ｂは、嵌合孔66ａ，66ｂに対して、特定平面Ｐ０に沿うと共に嵌合孔66ａ，66ｂから離れる方向、または組付方向とは反対方向に突出している。また、案内面69a1，69b1は、両中心軸線Ｌ2a，Ｌ3a；Ｌ2b，Ｌ3bに対して傾斜していて、ほぼ円柱面または円錐面の一部により形成される。
【００５５】
インシュレータ64ａ，64ｂにおいてバンク空間Ｓまたは特定平面Ｐ０に対して近接側および遠方側の一方の部分としての遠方側の部分64a4，64b4に案内部69ａ，69ｂが設けられ、インシュレータ64ａ，64ｂにおいて前記近接側および前記遠方側の他方の部分としての近接側の部分64a3，64b3に対応する位置で、燃料噴射弁68がスロットルボディ61ａ，61ｂに取り付けられる。さらに、案内部69ａ，69ｂと燃料噴射弁68とは、吸気道63ａ，63ｂの中心軸線Ｌ2a，Ｌ2bの方向での位置で互いに重なる位置にある。
【００５６】
図１を参照すると、燃焼ガスを排気ガスとして外部に排出する排気装置は、各バンクＢ１，Ｂ２を挟んでバンク空間Ｓとは反対側でシリンダヘッド３ａ，３ｂの接続部３a2，３b2に結合される排気管（図示されず）を備え、該排気管を通じて排気ポート15を経た排気ガスが外部に排出される。
【００５７】
そして、各バンクＢ１，Ｂ２の排気ポート15には、各ヘッドカバー４ａ，４ｂに設けられる２次空気供給装置70からの空気が導入される。排気ガス中のＨＣやＣＯを酸化して排気ガスを浄化するために排気ガス中に空気を供給する２次空気供給装置70は、両バンクＢ１，Ｂ２において同一構造のものであるので、以下では、前バンクＢ１の２次空気供給装置70について説明する。
【００５８】
図６（Ｂ）を参照すると、２次空気供給装置70は、ハウジング71と、ハウジング71内に収容されるリード弁72とを備える。ハウジング71は、ヘッドカバー４ａと一体成形されたボディ71ａと、リード弁72を挟んでボディ71ａに結合されるカバー71ｂとから構成される。
【００５９】
カバー71ｂには、前記エアクリーナに接続される導管（図示されず）を介して空気が導入される導入ポート73が形成され、ボディ71ａには導出ポート74が形成される。導出ポート74は、シリンダヘッド３ａに形成されて排気ポート15の分岐ポート15ｂに開口する空気供給通路75に連通する。導出ポート74と空気供給通路75との接続のために、ボディ71ａには導出ポート74の出口74ａを形成する管状の突出部71a1が一体成形され、該突出部71a1が、シリンダヘッド３ａの、ボディ71ａとの合わせ面３a3に開口する空気供給通路75の入口75ａに挿入される。出口74ａと入口75ａとの接続部は、突出部71a1の周囲においてボディ71ａと合わせ面３a3との間に設けられた環状のシール部材76によりシールされる。このシール部材76は、シリンダヘッド３ａの合わせ面３a3と、ヘッドカバー４ａの、シリンダヘッド３ａとの合わせ面４a3との間に介在するガスケット77に一体成形されてもよい。このように、導出ポート74と空気供給通路75とが、ボディ71ａに一体成形された突出部71a1により接続されるので、導出ポート74と空気供給通路75とを接続する導管が不要になって、部品点数およびコストが削減される。
【００６０】
図３，図１２を参照すると、内燃機関Ｅの潤滑系統は、ドライサンプ式の潤滑系統であり、オイルタンク48と、オイルタンク48からストレーナ95を経て吸入した潤滑油を吐出するフィードポンプ81と、フィードポンプ81から吐出された潤滑油を冷却する水冷式のオイルクーラ96と、オイルフィルタ97と、内燃機関Ｅの各潤滑箇所を潤滑した後の潤滑油を回収するスカベンジングポンプ82と、これら潤滑系部材間で潤滑油を導く多数の油路とから構成される。
【００６１】
内燃機関Ｅの補機であるオイルポンプ80は、いずれもトロコイドポンプからなるフィードポンプ81およびスカベンジングポンプ82からなる。フィードポンプ81は、回転中心線Ｌ０に平行に配置される駆動軸83と、第１クランクケース２ａの一部により構成される第１ポンプボディ84と、駆動軸83により回転駆動されてポンプ室を形成するロータ87を収容すると共に第１ポンプボディ84に結合される第２ポンプボディ85とを備え、スカベンジングポンプ82は、フィードポンプ81と共通の駆動軸83と、第２ポンプボディ85と、駆動軸83により回転駆動されてポンプ室を形成するロータ88を収容すると共に第２ポンプボディ85に結合される第２ポンプカバー86とを備える。
【００６２】
駆動軸83には、駆動スプロケット32ｃ（図２参照）との間に無端伝動帯としてのチェーン89（図７も参照）が掛け渡される被動回転体としての被動スプロケット90が結合され、駆動軸83は、両スプロケット32ｃ，90およびチェーン89により構成される補機用伝動機構Ｔ３を介して伝達されるクランク軸７の動力により回転駆動される。また、第１ポンプボディ84には、フィードポンプ81の吸入ポート91および吐出ポート92（図３参照）が形成され、第２ポンプボディ85には、スカベンジングポンプ82の吸入ポート93が形成され、第２ポンプカバー86には、スカベンジングポンプ82の吐出ポート94が形成される。
【００６３】
図３に示されるように、オイルポンプ80は、上下方向で、前傾したシリンダ１ａとクランク軸７の回転軌跡の最低部Ｌ４との間に配置される。そのために、この実施形態では、少なくとも駆動軸83と最低部Ｌ４とが上下方向での位置で重なるように配置される。これにより、クランクケース２の底部２a3，２b3（図１，図７参照）により形成されて内燃機関Ｅの各潤滑箇所を潤滑した後の潤滑油が集合するオイルパン部17とクランク軸７との距離を小さくできるので、内燃機関Ｅを上下方向で小型化できる。
【００６４】
図３，図７，図１２を参照すると、最低部Ｌ４の近傍よりも下方の第１クランクケース２ａ，２ｂの底部２a3，２b3には、ストレーナ95を介してオイルタンク48内の潤滑油を吸入ポート91に導く吸入油路Ｋ１と、吐出ポート92を経て吐出された潤滑油をオイルクーラ96およびその下流のオイルフィルタ97に導く吐出油路Ｋ２とが設けられる。第１ポンプボディ84には、吐出油路Ｋ２に配置されてオイルクーラ96およびオイルフィルタ97への潤滑油の流れを許容するチェック弁98と、チェック弁98の下流の吐出油路Ｋ２から分岐して吸入ポート91に開口するリリーフ油路Ｋ３と、該リリーフ油路Ｋ３に配置されるリリーフ弁99とが設けられる。なお、リリーフ弁99は、第１，第２ポンプボディ84，85に跨って配置される。このように、第１ポンプボディ84にチェック弁98およびリリーフ油路Ｋ３およびリリーフ弁99が設けられることにより、オイルポンプ80が、２つのポンプボディ84，85および１つのポンプカバー86から構成されるハウジング構造になることから、フィードポンプ81およびスカベンジングポンプ82からなるオイルポンプ80のハウジング構造が簡素化されて、オイルポンプ80が小型・軽量化される。さらに、リリーフ油路Ｋ３が吸入ポート91に開口して、リリーフ油路Ｋ３を流れる潤滑油が直接吸入ポート91に戻されることにより、この点でもオイルポンプ80を小型・軽量化することが可能になる。そして、オイルポンプ80の小型化により、オイルポンプ80の周囲に配置される部材のレイアウトの自由度が大きくなる。
【００６５】
オイルフィルタ97を通過して清浄になった潤滑油は、底部２a3において第１クランクケース２ａに設けられる主油路Ｋ４に流入する。図２を併せて参照すると、第１クランクケース２ａには、主油路Ｋ４の潤滑油を滑り軸受８を囲んで軸受部２a1に設けられる環状油路Ｋ6aに導く油路Ｋ５が設けられる一方、第２クランクケース２ｂには、主油路Ｋ４の下流で分岐した一方の下流端部Ｋ4aに連通して主油路Ｋ４の潤滑油を滑り軸受９を囲んで軸受部２b1に設けられる環状油路Ｋ6bに導く油路Ｋ７が設けられ、クランクケースカバー45には、主油路Ｋ４の他方の下流端部Ｋ4b（図７参照）に連通して主油路Ｋ４の潤滑油をクランク軸７の油路Ｋ９に導く油路Ｋ８が設けられる。油路Ｋ８の開口した端部Ｋ8aは、油圧センサ100により閉塞される。これにより、油圧センサ100が油路Ｋ８の閉塞栓を兼ねるので、油圧センサ100および閉塞栓が別個に設けられる場合に比べて、油圧センサ100が取り付けられるクランクケースカバー45周辺のスペースが効率よく利用されて、部品のレイアウトが簡素化される。
【００６６】
クランク軸７に設けられる油路Ｋ９は、軸端部７ａの軸端面から回転中心線Ｌ０に沿って設けられて油路Ｋ８の潤滑油をクランク軸７の内部からコンロッドの６の大端部に導く。
【００６７】
図７を参照すると、各バンクＢ１，Ｂ２のシリンダ１ａ，１ｂおよびシリンダヘッド３ａ，３ｂには、第１クランクケース２ａに設けられた油路Ｋ10を介して環状油路Ｋ6aの潤滑油を吸気ロッカアーム軸27に導く油路Ｋ11，Ｋ12が設けられる。両バンクＢ１，Ｂ２の動弁室20内の部材における油路および潤滑構造は同様なので、前バンクＢ１における油路および潤滑構造を中心に説明する。
【００６８】
図６（Ａ），図１０を参照すると、シリンダヘッド３ａの油路は、カムホルダ部分29ａの内部に設けられる。カムホルダ部分29ａにおいて、油路Ｋ12は、シリンダ軸線Ｌ1aに平行に延びる上流部分Ｋ12aに対して、シリンダ軸線Ｌ1aに傾斜して直線状に延びて保持孔29a1を貫通する下流部分Ｋ12bを有し、シリンダ軸線方向Ａ１でのヘッドカバー４ａとの対向面である頂面29a3に開口する端部Ｋ12cを有する。そして、端部Ｋ12cは、シリンダ軸線Ｌ1aに平行に延びてカムホルダ部分29ａのネジ孔29a4にねじ込まれるボルト41により閉塞される。この状態で、ボルト41の軸部41ｂは、端部Ｋ12cの中心軸線に対して同軸でも平行でもなく、端部Ｋ12cに交差している。
【００６９】
油路Ｋ12の潤滑油は、吸気ロッカアーム軸27の内部に設けられて、吸気ロッカアーム25が摺動する支持面27ｃに開口する油路Ｋ13に導かれる。油路Ｋ13からの潤滑油の一部は、吸気ロッカアーム軸27と吸気ロッカアーム25との摺動部を潤滑し、油路Ｋ12からの潤滑油の残りは、吸気ロッカアーム25に設けられた噴出口Ｋ14（図４参照）から動弁室20内に噴射される。噴出口Ｋ14から噴射された潤滑油の油滴は、排気ロッカアーム26に形成された油孔Ｋ15から流入して排気ロッカアーム26と排気ロッカアーム軸28との摺動部を潤滑し、さらに吸気カム23および排気カム24と吸気ロッカアーム25および排気ロッカアーム26とのそれぞれの摺動部、軸受30，31など、動弁室20内の各潤滑箇所を潤滑する。なお、軸受31は、噴出口Ｋ14から噴射された潤滑油のうち、カムホルダ部分29ｂに設けられた油孔Ｋ16から流入した潤滑油によっても潤滑される。
【００７０】
動弁室20内の各潤滑箇所を潤滑した後の潤滑油は、シリンダヘッド３ａ、シリンダ１ａおよび第１クランクケース２ａに形成されて、チェーン34ａが配置される空洞により構成されるチェーン室18（図２も参照）を流下して、クランク室10内に戻る。
【００７１】
図３，図７，図１２を参照すると、クランク室10内では、内燃機関Ｅの摺動部などの各潤滑箇所を潤滑した後の潤滑油はオイルパン部17に集まり、オイルパン部17の最低部付近に設けられる案内部17ａに流入する。第１クランクケース２ａの底部２a3には、ストレーナ101を通して汲み上げた案内部17ａから潤滑油をスカベンジングポンプ82の吸入ポート93に導く回収油路Ｋ17が、吸入油路Ｋ１とほぼ平行に左右方向に延びて、かつ同一水平面上に設けられる。このように、吸入油路Ｋ１および回収油路Ｋ17が、同一水平面上でほぼ平行に配置されることにより、内燃機関Ｅを上下方向で小型化できる。
【００７２】
吐出ポート94の潤滑油は、クランク室10内に配置されて第１クランクケース２ａに設けられる挿入孔102内に挿入される導管103により形成される排出油路Ｋ18を経て、クランクケースカバー45に設けられてオイルタンク48内の上部空間に開口する排出油路Ｋ19に導かれる。これにより、スカベンジングポンプ82とオイルタンク48とを連通させる排出油路Ｋ18が導管103により形成されるので、スカベンジングポンプ82のレイアウトの自由度が大きくなる。
【００７３】
オイルタンク48内では、複数の邪魔板が配置されて形成される気液分離室において、クランク室10内から回収される潤滑油と共にスカベンジングポンプ82により吸入されたブローバイガスを含む空気が潤滑油から分離される。そして、空気が分離された潤滑油が、吸入油路Ｋ１を経てフィードポンプ81に吸入される。
【００７４】
図３，図７，図１３を参照すると、フィードポンプ81の吐出ポート92には、内燃機関Ｅの停止時およびオイル交換時などに潤滑系統に侵入して潤滑油に混入した空気を排出する空気抜き通路104が連通する。空気抜き通路104は、ポンプボディ84に形成されて吐出ポート92の最上部に連通して水平方向に延びる通路105と、通路105からチェーン室18内または補機室47内で上方に向かって延びる上昇通路106とから構成される。上昇通路106は、一端部が通路105に挿入される空気抜き管107により形成される。上昇通路106の先端部には、空気をチェーン室18または補機室47に排出する排出口108が形成される。上昇通路106には、上昇通路106の保持部109に保持された弁体としてのボール110が収容され、該ボール110は、空気抜き管107の先端部を閉塞するプラグ111に形成された排出口108を閉塞可能である。このために、空気抜き管107には、ボール110が係合および離脱可能な係合部112が、保持部109として設けられる。ボール110は、係合部112に保持された状態で、吐出ポート92からチェーン室18または補機室47への空気の排出を許容する一方、排出口108から吐出ポート92への空気の侵入を阻止する。また、吐出ポート92からの潤滑油が空気抜き通路104に流入したとき、ボール110は、油圧により押し上げられてプラグ111に着座して排出口108を密閉する。なお、上昇通路106は、通路105と共に、第１ポンプボディ84を構成する第１クランクケース２ａ自体に形成されてもよい。
【００７５】
これにより潤滑油に混入した空気が排出され易くなり、しかも空気抜き管107からの潤滑油のリークが防止される。また、図７，図１３に二点鎖線で示されるように、空気抜き管107に、保持部109と排出口108との間の上昇通路106に連通して潤滑油を交流発電機46に向かって噴射する噴射口113が設けられてもよい。これにより、油圧により押し上げられたボール110がプラグ111に着座して排出口108を密閉した状態で、噴射口113から噴射された潤滑油により交流発電機46（図２参照）を冷却することができる。
【００７６】
図３，図１２を参照すると、クランク室10において、オイルタンク48寄りの部分である後部には、オイルタンク48から溢れた潤滑油をオイルパン部17に導くオーバフロー通路115が、第１，第２クランクケース２ａ，２ｂに形成されてその合わせ面にそれぞれ開口する溝115a，115bが合わせられて構成される。オーバフロー通路115の最上部には、クランク室10に開口するブリージング通路116が第１クランクケース２ａに設けられた切欠きにより形成され、ブリージング通路116によりオーバフロー通路115が潤滑油で閉塞されることが防止される。
【００７７】
図３を参照すると、前バンクＢ１のヘッドカバー４ａに設けられて動弁室20の最上部に連通するブリーザ室120は、ヘッドカバー４ａの一部により構成される本体121と、本体121に結合されるカバー122とにより形成される。そして、本体121は、シリンダヘッド３ａとのヘッドカバー４ａの合わせ面またはガスケット77から離れた位置にあり、インシュレータ64ａの案内部69ａと前記組付方向で干渉しない範囲で、可及的にバンク空間Ｓに庇状に張り出している。このため、ブリーザ室がシリンダヘッドとヘッドカバーとの共同により形成される場合に比べて、ガスケット77によるシール長さを短くすることができるので、ヘッドカバー４ａとシリンダヘッド３ａとの合わせ面でのシール性が向上する。さらに、ブリーザ室120がバンク空間Ｓに張り出して形成されるのでブリーザ室120の容積を大きくすることができる。しかも、吸気装置60と干渉しない範囲で可及的にバンク空間Ｓに突出していることで、スペース効率が向上し、レイアウトの自由度が大きくなる。
【００７８】
図３，図１２を参照すると、内燃機関Ｅの冷却系統は、冷却水を圧送する冷却水ポンプ130と、シリンダ１ａ，１ｂおよびシリンダヘッド３ａ，３ｂに形成された冷却水ジャケットＷ２，Ｗ３，Ｗ５，Ｗ６と、ラジエータＲと、内燃機関Ｅの暖機状態に応じてラジエータＲへの冷却水の流通および遮断を制御するサーモスタット152と、機関本体の外部で冷却水通路を形成する導管や管継手等からなる配管群とから構成される。
【００７９】
冷却水ポンプ130は、オイルポンプ80の駆動軸83と同軸の駆動軸131と、駆動軸131により回転駆動されるインペラ132と、クランクケースカバー45の一部により構成されて駆動軸131を回転可能に支持するポンプボディ133と、ポンプボディ133に結合されるポンプカバー134とを備える。ポンプカバー134には、ラジエータＲで放熱して低温となった冷却水が流入する入口ポート135と、後述するバイパス通路Ｗ７からの冷却水が流入するバイパスポート136と、インペラ132により圧送された冷却水が流出する出口ポート137とが設けられる。クランクケースカバー45と共同して形成される出口ポート137は、該出口ポート137と、シリンダ１ａに設けられた孔から構成される供給通路Ｗ１とにほぼ全体が挿入される管継手138を介して、該供給通路Ｗ１に連通する。このようにして、冷却水ポンプ130から吐出された直後の冷却水を、ホースを使用することなくシリンダ１ａの冷却水ジャケットＷ２に導くことができるので、冷却水の配管が簡素化され、コンパクト化される。
【００８０】
駆動軸131は、駆動軸83と同軸に該駆動軸83に軸継手としてのボルト139を介して駆動連結されて、ポンプボディ133には軸受140により回転可能に支持される。図１３を併せて参照すると、ボルト139は、駆動軸83に被動スプロケット90を結合するためのものであり、ボルト139の頭部139aは、角柱形状、この実施形態では六角柱形状に形成され、該頭部139aが駆動軸131に形成された同形状の嵌合孔141に嵌合することにより、駆動軸131が駆動軸83と一体に回転するように連結される。このように、被動スプロケット90を駆動軸83に結合するボルト139が軸継手を兼ねるので、部品点数が削減される。また、駆動軸131が、その軸端部においてボルト139を介してオイルポンプ80のポンプボディ84，85により回転可能に支持される駆動軸83に支持されることにより、駆動軸131はポンプボディ133に軸受140を介して片持ち支持されればよいので、冷却水ポンプ130を小型化することができる。
【００８１】
図３，図１２を参照すると、前記冷却系統において、冷却水ポンプ130の出口ポート137からの冷却水は、供給通路Ｗ１を経て前バンクＢ１のシリンダ１ａの冷却水ジャケットＷ２に流入し、シリンダ１ａを冷却した後にシリンダヘッド３ａの冷却水ジャケットＷ３に流入して、シリンダヘッド３ａや点火栓16を冷却する。その後、冷却水は冷却水ジャケットＷ３から導管151により形成される冷却水通路Ｗ４を経て、後バンクＢ２の冷却水ジャケットＷ５に流入してシリンダ１ｂを冷却した後、シリンダヘッド３ｂの冷却水ジャケットＷ６に流入して、シリンダヘッド３ｂや点火栓16を冷却したのち、シリンダヘッド３ｂに取り付けられたサーモスタット152に流入する。
【００８２】
シリンダヘッド３ａの冷却水ジャケットＷ３においては、図５に示されるように、冷却水が排気ポート15側から吸気ポート14側に向かって流れるとき、上流で分岐して、点火栓16の近傍を通過し、さらに吸気ポート14の１対の分岐ポート14ａ，14ｂの間を流通した後に、下流で合流する冷却水の分岐通路Ｗ3aが形成される。この分岐通路Ｗ3aにより、点火栓16付近での冷却水の淀みが解消されて、点火栓16の冷却が促進される。なお、シリンダヘッド３ｂの冷却水ジャケットＷ６の構造は、冷却水ジャケットＷ３の構造と同様である。
【００８３】
図１，図７を参照すると、内燃機関Ｅの暖機時（図示された状態）には、サーモスタット152では、主弁152aが閉弁し、バイパス弁152bが開弁するため、サーモスタット152に流入した冷却水は、サーモスタット152のバイパス出口152cに接続される管継手153とバイパスポート136とを接続する導管154とにより形成されるバイパス通路Ｗ７を流通して冷却水ポンプ130に吸入される。また、内燃機関Ｅの暖機完了後には、サーモスタット152では、主弁152aが開弁し、バイパス弁152bが閉弁するため、サーモスタット152に流入した冷却水は、サーモスタット152の出口152dから流出してラジエータＲに流入し、ラジエータＲで放熱して低温となった後、ラジエータＲと入口ポート135を接続する導管により形成される冷却水通路を流通して冷却水ポンプ130に吸入される。
【００８４】
このように、管継手153により形成されるバイパス通路Ｗ７の上流端部Ｗ7aは、シリンダヘッド３ｂから下方に延出し、しかもバイパス通路Ｗ７がクランクケース２の底部２a3，２b3に相当する位置に配置される冷却水ポンプ130に至るまで下方に向かって設けられるので、管継手153および導管154がコンパクトに配置され、しかもバイパス通路Ｗ７内の空気が抜け易くなる。
【００８５】
図１，図４を参照すると、オイルクーラ96には、供給通路Ｗ１から分岐して導管155により形成される冷却水通路を経て導かれ、潤滑油を冷却した後の冷却水は、オイルクーラ96とサーモスタット152近傍のシリンダヘッド３ｂ部分に接続される管継手156（図７も参照）とに接続される導管157により形成される戻り通路を経てサーモスタット152の入口側に戻される。これにより、潤滑油を冷却して高温となった冷却水が各冷却水ジャケットＷ２，Ｗ３，Ｗ５，Ｗ６を経ることなく直ちにサーモスタット152に流入するので、シリンダ１ａ，１ｂおよびシリンダヘッド３ａ，３ｂの冷却効率が向上する。
【００８６】
図１，図２を参照すると、前記動力伝達装置は、内燃機関Ｅの右方から後方にかけて配置される変速装置Ｍと、変速装置Ｍを介して伝達されたクランク軸７の動力の、歯車式伝動機構Ｒ１への伝達および遮断を行う遠心クラッチＣと、終減速装置と、伝動ケース56とを備える。ここで、前記終減速装置は、歯車式伝動機構Ｒ１およびチェーン式伝動機構Ｒ２から構成される。
【００８７】
変速装置Ｍは、内燃機関Ｅにより駆動される駆動軸160を兼ねる軸端部７ｂに一体回転可能に駆動連結される可変プーリからなる駆動プーリ161と、出力軸165に回転可能に支持される被動軸162に一体回転可能に支持されて遠心クラッチＣを介して出力軸165に一体回転可能に連結される可変プーリからなる被動プーリ163と、駆動プーリ161および被動プーリ163に掛け渡される無端のＶベルトからなるベルト164と、第１伝動ケース56ａの後部56a2および第１クランクケース２ａの後部２a2に回転可能に支持される出力軸165と、駆動プーリ161および被動プーリ163におけるベルト164の巻掛け半径を変更する変速比制御手段とを備える。
【００８８】
駆動プーリ161は、軸端部７ａ（駆動軸160）に相対移動不能に結合される固定プーリ半体161aおよび固定プーリ半体161aに対して回転中心線方向（軸方向であり、この実施形態では軸方向Ａ３に一致する。）に移動可能な可動プーリ半体161bから構成される。被動プーリ163は、被動軸162と一体回転可能な固定プーリ半体163aおよび被動軸162にトルクカム機構を介して連結される可動プーリ半体163bから構成される。
【００８９】
前記変速比制御手段は、駆動軸160に固定されたカムプレート166により軸方向での位置が変更される複数の遠心ウエイト167と、被動軸162と同軸に配置されて可動プーリ半体163bにベルト164を締め付ける方向の弾発力を作用させるバネ168とを備える。駆動プーリ161においては、クランク軸７の回転速度に応じて発生する遠心力に応じて各遠心ウエイト167が径方向に移動すると共に軸方向に移動することにより、遠心ウエイト167に押圧される可動プーリ半体161bが軸方向に移動して、巻掛け半径が変更される。このとき発生するベルト164の張力の変化により、被動プーリ163においては、可動プーリ半体163bがバネ168の弾発力に抗して、またはその弾発力により、軸方向に移動して巻掛け半径が変更される。この結果、変速装置Ｍの変速比が、機関回転速度に応じて自動的に、しかも連続的に変更される。
【００９０】
前記トルクカム機構は、可動プーリ半体163bが固定されると共に被動軸162に回転可能に支持されるスリーブ169に形成されたカム溝170と、被動軸162に固定されてカム溝170に係合するピン171とから構成され、自動二輪車の後輪に作用する負荷が増加したときに、固定プーリ半体163aと可動プーリ半体163bとの間の相対回転に応じてベルト164を締め付ける方向に被動プーリ半体163bを移動させる。
【００９１】
被動軸162と一体回転可能な遠心クラッチＣの入力部材181と可動プーリ半体163bとの間に配置されるバネ168は、その両端部の少なくとも一方が、低摩擦係数を有するバネ受け部材により支持される。この実施形態では、バネ168の、可動プーリ半体163b寄りの端部168aを支持する前記バネ受け部材は、軸方向に重ねられて配置されると共に低摩擦係数を有する合成樹脂製の２枚のワッシャからなる二重ワッシャ172により構成される。また、前記バネ受け部材は、二重ワッシャ172の代わりに、スラスト軸受から構成されてもよい。
【００９２】
このように、バネ168が低摩擦係数を有する前記ばね受け部材により支持されることにより、固定プーリ半体163aに対して可動プーリ半体163bが相対回転する際に、バネ168が可動プーリ半体163bとの間の摩擦力に起因して連れ回りすることが防止または抑制されてバネ168の弾発力の変動が防止または抑制されるので、前記トルクカム機構の作動時のベルトから被動プーリへのトルク伝達性能が向上する。
【００９３】
遠心クラッチＣは、遠心ウエイト183を揺動可能に支持する入力部材181と、出力軸165に一体回転可能に結合される出力部材182とを備え、被動軸162が内燃機関Ｅのアイドリング回転速度に対応する回転速度を越えて回転するとき、遠心力により飛開して出力部材182を押圧する遠心ウエイト183を介して、入力部材181および出力部材182が一体に回転する接続状態になる。
【００９４】
歯車式伝動機構Ｒ１は、出力軸165の入力ギヤ191、入力ギヤ191と噛合する中間ギヤ192および出力ギヤ193から構成される。出力軸は、第１クランクケース２ａおよび第１，第２伝動ケース56ａ，56ｂに、両ギヤ192，193は、第１クランクケース２ａおよび第１伝動ケース56に、それぞれ回転可能に支持される。
【００９５】
出力ギヤ193に一体回転可能に結合される出力取出軸194には、駆動チェーンが巻き掛けられる駆動スプロケット195が結合される。また、後端部で後輪を回転可能に支持する可能に支持するスイングアーム200は、その前端部で出力取出軸194と同軸のピボット軸201に揺動可能に支持される。該ピボット軸201は、左右１対の第１，第２ピボット軸201a，201bにより構成され、第１ピボット軸201aは、第１クランクケース２ａの後端部に結合され、第２ピボット軸201bは、第１伝動ケース56ａの後端部に結合される。
【００９６】
次に、変速装置Ｍの冷却構造について説明する。
該第２伝動ケース56ｂに結合されるカバーと第２伝動ケース56ｂとにより、冷却風を伝動室57内に導く導風室174が形成される。カバー173には外気を導風室174に導入する取入口175が設けられる。カバー173に一体成形されるダクト176により形成される取入口175は、後方に向かって開放する入口175aから前方に向かって開放する出口175bを有する。取入口175は、駆動軸160と被動軸162との間であって、側面視で被動プーリ163と重なる位置に設けられ、出口175bは、駆動プーリ161と被動プーリ163とのほぼ中央に位置する。被動プーリ163の固定プーリ半体163aにより構成される冷却ファン177により吸引される冷却風は、取入口175を経て導風室174に流入し、導風室174内で前方から後方に向かった後、フィルタエレメント178を経て、カバー173に形成された入口179から、被動軸162の軸方向で固定プーリ半体163aに向かって伝動室57内に流入する。
【００９７】
駆動プーリ161および被動プーリ163が近接して配置されるために、駆動軸160および被動軸162の軸間距離が比較的短いベルト式の変速装置Ｍにおいて、駆動軸160と被動軸162との間に取入口175が設けられることにより、駆動軸160および被動軸162の間のスペースを利用して取入口175を形成することができるので、取入口を設けるために第２伝動ケース56ｂまたはカバー173が大型化することが防止される。また、冷却風が被動プーリ163に向かって伝動室57内に流入するので、被動プーリ163の冷却が促進される。
【００９８】
また、駆動プーリ161の固定プーリ半体161aのボス部には、最小巻掛け半径にあるベルト164よりも径方向内方に位置する多数の貫通孔からなる冷却風通路161eが設けられる。
これにより、クランクケース２に隣接する第１伝動ケース56ａと駆動プーリ161との間の空間に冷却風通路161eを通じて冷却風が導かれるので、固定プーリ半体161aの背面が冷却され、クランクケース２に隣接する駆動プーリ161の部分である固定プーリ半体161aの冷却が促進される。
【００９９】
また、第１伝動ケース56ａには、駆動プーリ161と被動プーリ163との間のほぼ中央であって、第１クランクケース２ａに対向する部分で、かつ遠心クラッチＣの外周付近に、クランクケース２と伝動ケース56の間の空間にクランクケース２を指向して冷却風が伝動室57から流出する排風口56a3が設けられる。これにより、伝動室57内では、排風口56a3に向かって流れる冷却風により遠心クラッチＣが冷却され、さらに排風口56a3から流出する冷却風により、クランクケース２が冷却される。
【０１００】
次に、前述のように構成された実施形態の作用および効果について説明する。
内燃機関Ｅの動弁装置21は、動弁室20内でシリンダヘッド３ａ，３ｂに設けられるカムホルダ29に保持される吸気ロッカアーム軸27および排気ロッカアーム軸28と、両ロッカアーム軸27，28にそれぞれ揺動可能に支持されて吸気弁17および排気弁18を開閉する吸気ロッカアーム25および排気ロッカアーム26とを備え、ボルト37は両ロッカアーム軸27，28の一方のロッカアーム軸であるロッカアーム軸28が軸方向Ａ３に移動するのを規制することにより、ヘッドカバー４ａ，４ｂをシリンダヘッド３ａ，３ｂに結合するボルト37が、動弁室20内に配置されるロッカアーム軸28の軸方向Ａ３での移動を規制する規制部材として利用される。この結果、ボルト37がロッカアーム軸28の移動を規制する規制部材を兼ねるので、ロッカアーム軸28の軸方向Ａ３での移動を規制するための専用の部材が不要となり、部品点数が削減される。
【０１０１】
さらに、ヘッドカバー４ａ，４ｂをシリンダヘッド３ａ，３ｂに結合するボルト37が、ロッカアーム軸28の移動を規制する規制部材を兼ねることにより、バルブクリアランスの調整や動弁装置21などのメンテナンスなど、シリンダヘッド３ａ，３ｂからヘッドカバー４ａ，４ｂを外したうえでロッカアーム軸28をシリンダヘッド３ａ，３ｂから外すことを要する作業の際には、ボルト37をシリンダヘッド３ａ，３ｂから外してシリンダヘッド３ａ，３ｂからヘッドカバー４ａ，４ｂを取り外すことが、ロッカアーム軸28からボルト37を外すことになるので、その分、シリンダヘッド３ａ，３ｂからのヘッドカバー４ａ，４ｂおよび両ロッカアーム軸27，28の取外しを含む作業量が減少して、バルブクリアランスの調整やメンテナンスの作業効率が向上する。
【０１０２】
ボルト37は、頭部37ａと、軸方向Ａ３でロッカアーム軸28と当接する軸部37ｂとから構成され、頭部37ａは、動弁室20の外部でヘッドカバー４ａ，４ｂを押圧すると共に動弁室20内でカムホルダ部分29ｂに当接する当接面37ｃを有し、軸部37ｂは当接面37ｃからシリンダ軸線方向Ａ１，Ａ２に延びていることにより、ヘッドカバー４ａ，４ｂとボルト37との間にシリンダ軸線方向Ａ１，Ａ２での空間が形成されることがないことから、ヘッドカバー４ａ，４ｂをシリンダ軸線方向Ａ１，Ａ２でカムホルダ部分29ｂに近接させることができるので、ヘッドカバー４ａ，４ｂをシリンダ軸線方向Ａ１，Ａ２で小型化することができ、ひいては内燃機関Ｅをシリンダ軸線方向Ａ１，Ａ２で小型化することができる。
【０１０３】
ロッカアーム軸28にはボルト37が挿入される挿入部28ｄが形成され、ロッカアーム軸28はボルト36によりカムホルダ部分29ａ，29ｂに位置決めされることにより、ヘッドカバー４ａ，４ｂがシリンダヘッド３ａ，３ｂに結合されるとき、該ボルト37は、既にボルト36により挿入部28ｃがネジ孔29b4と整合する位置に位置決めされているロッカアーム軸28に設けられた挿入部28ｄに挿入されて、ヘッドカバー４ａ，４ｂがボルト37によりシリンダヘッド３ａ，３ｂに結合される。この結果、ロッカアーム軸28が配置されるスペースを利用してボルト37が挿通されることから、ボルト37が挿通される部分をシリンダヘッド３ａ，３ｂに別個に確保する必要がないので、シリンダヘッド３ａ，３ｂが小型化される。
【０１０４】
ボルト41は、動弁室20内の吸気ロッカアーム軸27と吸気ロッカアーム25との摺動部に潤滑油を導く油路Ｋ12の端部Ｋ12cを閉塞することにより、ヘッドカバー４ａ，４ｂをシリンダヘッド３ａ，３ｂに結合するボルト41が、油路Ｋ12の端部Ｋ12cを閉塞する栓として利用される。この結果、ボルト41が油路Ｋ12の栓を兼ねるので、油路Ｋ12を閉塞するための専用の栓が不要となり、部品点数が削減される。
【０１０５】
ボルト41の軸部41ｂが端部Ｋ12cに交差することにより、直線状に延びる下流部分Ｋ12bの端部Ｋ12cが延びる方向とボルト41のねじ込み方向とを同軸または平行にする必要がなく、端部Ｋ12cが延びる方向とボルト41のねじ込み方向とが互いの方向を制約することが可及的に少なくなるので、端部Ｋ12cを有する油路Ｋ12およびボルト41のレイアウトの自由度が大きくなる。
【０１０６】
スロットルボディ61ａ，61ｂの嵌合部61a1，61b1における吸気道63ａ，63ｂおよびインシュレータタ64ａ，64ｂの嵌合孔66ａ，66ｂの両中心軸線Ｌ2a，Ｌ2b；Ｌ3a，Ｌ3bは特定平面Ｐ０に対して傾斜しており、スロットルボディ61ａ，61ｂの嵌合部61a1，61b1の下流端開口63a1，63b1は、第１平面Ｐ1a，Ｐ1bに対して吸気道63ａ，63ｂ側にあり、インシュレータ64ａ，64ｂの嵌合孔66ａ，66ｂの上流端開口66a1，66b1は、第２平面Ｐ2a，Ｐ2bに対して嵌合孔66ａ，66ｂ側にあり、上流端部64a1，64b1の一部のみに、第３平面Ｐ3a，Ｐ3bと交差する案内面69a1，69b1を有する案内部69ａ，69ｂが設けられ、ボディが特定平面Ｐ０に平行な方向からインシュレータ64ａ，64ｂに組み付けられるとき、嵌合部61a1，61b1が案内面69a1，69b1に接触しつつ嵌合孔66ａ，66ｂに案内される。
これにより、スロットルボディ61ａ，61ｂの下流端開口63a1，63b1は、第１平面Ｐ1a，Ｐ1bに対して吸気道63ａ，63ｂの流路断面（中心軸線Ｌ2a，Ｌ2bに直交する平面での吸気道63ａ，63ｂの断面）に近づく方向に傾斜し、同様に、インシュレータ64ａ，64ｂの上流端開口66a1，66b1は、第２平面Ｐ2a，Ｐ2bに対してインシュレータ64ａ，64ｂの通路65ａ，65ｂの流路断面（中心軸線Ｌ3a，Ｌ3bに直交する平面での通路65ａ，65ｂの断面）に近づく方向に傾斜しているので、下流端開口63a1，63bの開口面積および上流端開口66a1，66b1の開口面積をそれぞれ前記流路断面での面積に近づけることができて、スロットルボディ61ａ，61ｂおよびインシュレータ64ａ，64ｂを小型化できる。
そして、インシュレータ64ａ，64ｂの上流端部64a1，64b1の一部のみに案内部69ａ，69ｂが設けられ、スロットルボディ61ａ，61ｂがインシュレータ64ａ，64ｂに組み付けられるとき、スロットルボディ61ａ，61ｂの嵌合部61a1，61b1が案内部69ａ，69ｂに接触しつつ嵌合孔66ａ，66ｂに案内されるので、スロットルボディ61ａ，61ｂの下流端開口63a1，63b1およびインシュレータ64ａ，64ｂの上流端開口66a1，66b1が、それぞれ第１平面Ｐ1a，Ｐ1bおよび第２平面Ｐ2a，Ｐ2bに対して傾斜している場合にも、インシュレータ64ａ，64ｂへのスロットルボディ61ａ，61ｂの組付が容易になるうえ、案内部69ａ，69ｂは上流端部64a1，64b1の一部のみに設けられているので、案内部69ａ，69ｂが設けられることによりインシュレータ64ａ，64ｂが大型化することが抑制される。この結果、案内部69ａ，69ｂによりインシュレータ64ａ，64ｂへのスロットルボディ61ａ，61ｂの組付が容易になるうえ、該案内部69ａ，69ｂが設けられたことによりインシュレータ64ａ，64ｂが大型化することが抑制されて、前記従来技術に比べてスロットルボディ61ａ，61ｂおよびインシュレータ64ａ，64ｂを小型化することができ、ひいては吸気装置60を小型化できる。
【０１０７】
第１スロットルボディ61ａおよび第２スロットルボディ61ｂは互いに一体に連結されており、案内部69ａ，69ｂは、第１，第２インシュレータ64ａ，64ｂにそれぞれ設けられた第１，第２案内部69ａ，69ｂから構成されることにより、第１，第２スロットルボディ61ａ，61ｂが一体に連結された状態で、第１，第２案内部69ａ，69ｂにより案内されて同時に組み付けられるので、その組付性が一層向上する。
【０１０８】
各インシュレータ64ａ，64ｂにおいて、遠方側の部分64a4，64b4に案内部69ａ，69ｂが設けられ、近接側の部分64a3，64b3に対応する位置で、燃料噴射弁68がスロットルボディ61ａ，61ｂに取り付けられることにより、インシュレータ64ａ，64ｂへのスロットルボディ61ａ，61ｂの組付時に、燃料噴射弁68と案内部69ａ，69ｂとが互いに干渉することがないので、インシュレータ64ａ，64ｂへのスロットルボディ61ａ，61ｂの組付時に、燃料噴射弁68と案内部69ａ，69ｂとが互いに干渉することがなく、良好な組付性が確保される。
【０１０９】
また、案内部69ａ，69ｂと燃料噴射弁68とは吸気道63ａ，63ｂの中心軸線Ｌ2a，Ｌ2bの方向での位置で互いに重なるように配置されることにより、インシュレータ64ａ，64ｂに対して燃料噴射弁68を吸気道63ａ，63ｂの中心軸線Ｌ2a，Ｌ2bの方向でコンパクトに配置することができる。
【０１１０】
案内部69ａ，69ｂは、嵌合孔66ａ，66ｂに対して、中心軸線Ｌ3a，Ｌ3bまたは特定平面Ｐ０に沿うと共に嵌合孔66ａ，66ｂから離れる方向に突出していることにより、案内部69ａ，69ｂの案内面69a1，69b1を前記組付方向に沿って大きくすることができることから、インシュレータ64ａ，64ｂへのスロットルボディ61ａ，61ｂの組付時に、組付工程の早い段階から案内部69ａ，69ｂにより嵌合部61a1，61b1が案内されるので、組付性が一層向上する。
【０１１１】
以下、前述した実施形態の一部の構成を変更した実施形態について、変更した構成に関して説明する。
第１，第２バンクは、それぞれ、複数の第１シリンダおよび第２シリンダから構成されてもよい。さらに、第１，第２シリンダは一体成形されてシリンダブロックを構成してもよい。
特定平面Ｐ０は、バンク角θ１を二等分しない平面であってもよい。
シリンダヘッドにヘッドカバーを結合するボルトにより、吸気ロッカアーム軸および排気ロッカアーム軸の少なくとも一方が軸方向Ａ３に移動することが規制されてもよい。
カムホルダ29は、シリンダヘッド３ａ，３ｂとは別個の部材により構成されて、シリンダヘッド３ａ，３ｂにボルト等により一体に結合されてもよい。
各ロッカアーム軸27，28が挿入される保持孔29a1，29b1；29a2，29b2は貫通孔により構成されたが、各ロッカアーム軸27,28が少なくともカムスプロケットとは反対側から抜き差し可能であればよく、カムスプロケット側の保持孔29a1，29a2は奥部が閉塞または抜止めされた孔であってもよい。
混合気形成手段は、燃料噴射弁68の代わりに気化器であってもよく、その場合、スロットルボディ61ａ，61ｂは気化器のボディにより構成される。
嵌合部61a1，61b1の中心軸線Ｌ2a，Ｌ2b；Ｌ3a，Ｌ3bおよび嵌合孔66ａ，66ｂの中心軸線Ｌ2a，Ｌ2b；Ｌ3a，Ｌ3bは、鋭角が鋭角よりも小さくなるように傾斜していてもよい。
この場合、インシュレータ64ａ，64ｂにおいてバンク空間Ｓまたは特定平面Ｐ０に対して近接側の部分に案内部69ａ，69ｂが設けられ、インシュレータ64ａ，64ｂにおいて遠方側の部分に対応する位置で、燃料噴射弁68がスロットルボディ61ａ，61ｂに取り付けられる。
内燃機関は、Ｖ型内燃機関以外の多気筒内燃機関であってもよく、さらに単気筒内燃機関であってもよい。
【図面の簡単な説明】
【０１１２】
【図１】本発明の実施形態を示し、本発明が適用された内燃機関において、伝動カバーの一部を外したときの、一部を断面で示す右側面図である。
【図２】図３のＩＩ−ＩＩ線断面図である。
【図３】図１の内燃機関において、クランクケースの一部を外したときの、一部を断面で示す右側面図である。
【図４】図１のＩＶ矢視図であり、ヘッドカバーを外したときの、一部を断面で示す図である。
【図５】図１の内燃機関の前バンクのシリンダヘッドにおける冷却水ジャケット、吸気ポートおよび排気ポートを可視化した図である。
【図６】（Ａ）は、シリンダヘッドにヘッドカバーが結合された状態における図４のＶＩＡ−ＶＩＡ線断面図であり、（Ｂ）は、シリンダヘッドにヘッドカバーが結合された状態における図４のＶＩＢ−ＶＩＢ線断面図である。
【図７】図１の内燃機関において、一部を断面で示す左側面図である。
【図８】図４のＶＩＩＩ矢視図である。
【図９】図８のＩＸ−ＩＸ線断面図である。
【図１０】図４のＸ−Ｘ線断面図である。
【図１１】図３の要部拡大図である。
【図１２】図７のＸＩＩ−ＸＩＩ線断面図である。
【図１３】図７のＸＩＩＩ−ＸＩＩＩ線断面図である。
【符号の説明】
【０１１３】
１ａ，１ｂ…シリンダ、２…クランクケース、３ａ，３ｂ…シリンダヘッド、４ａ，４ｂ…ヘッドカバー、７…クランク軸、21…動弁装置、22…カム軸、27，28…ロッカアーム軸、29…カムホルダ、34〜37…ボルト、48…オイルタンク、61ａ，61ｂ…スロットルボディ64ａ，64ｂ…インシュレータ、69ａ，69ｂ…案内部、81…フィードポンプ、82…スカベンジングポンプ、
Ｅ…内燃機関、Ｍ…変速装置、Ｃ…遠心クラッチ。
【図１】
2006226272.tif 000003
【図２】
2006226272.tif 000004
【図３】
2006226272.tif 000005
【図４】
2006226272.tif 000006
【図５】
2006226272.tif 000007
【図６】
2006226272.tif 000008
【図７】
2006226272.tif 000009
【図８】
2006226272.tif 000010
【図９】
2006226272.tif 000011
【図１０】
2006226272.tif 000012
【図１１】
2006226272.tif 000013
【図１２】
2006226272.tif 000014
【図１３】
2006226272.tif 000015